(57)【要約】【課題】床荷重を把握することが可能な床荷重監視システムを提供する。【解決手段】電子機器２２が搭載された状態での各ラック２１の重量を各ラック重量計測装置１３，１４で計測し、各ラック重量計測装置１３，１４で計測した重量計測値を通信網３５を介して制御部３６で収集して監視する。制御部３６で収集した重量計測値の集計結果を各監視エリア１１，１２毎の床荷重として表示部７１に表示する。【選択図】図１
2010176251.tif 000002
【特許請求の範囲】
【請求項１】
床面に設置された複数のラックの重量をそれぞれ計測する複数のラック重量計測装置と、
各ラック重量計測装置で計測した重量計測値を通信網を介して収集して監視する制御部と、
該制御部で収集した前記重量計測値の集計結果を床荷重として表示する表示部と、
を備えたことを特徴とする床荷重監視システム。
【請求項２】
前記床面を複数の監視エリアに分割する一方、
前記制御部は、前記各ラック重量計測装置からの前記重量計測値を前記各監視エリア毎に集計し、各監視エリアでの床荷重を前記表示部に表示する荷重分布表示手段を備えたことを特徴とする請求項１記載の床荷重監視システム。
【請求項３】
前記制御部は、前記各監視エリアに設定された床耐荷重から対応する監視エリアでの床荷重を減算した減算値を当該監視エリアの前記床耐荷重に対する残量値として前記表示部に表示する残量表示手段を備えたことを特徴とする請求項２記載のラック重量計測装置。
【発明の詳細な説明】
【技術分野】
【０００１】
本発明は、床面に加えられる床荷重を監視する床荷重監視システムに関する。
【背景技術】
【０００２】
従来、電算機室などには、複数のラックが設置されており、各ラックには、コンピュータやネットワーク機器等の電子機器が搭載されている。
【０００３】
これにより、この電算機室において、前記各ラックに搭載された前記電子機器を集中管理できるように構成されている。
【発明の概要】
【発明が解決しようとする課題】
【０００４】
ここで、これらのラックが設置されたフロアには、許容可能な荷重が床耐荷重として設定されているが、電算機室などに設置された各ラックにおいては、実装した電子機器の増設や撤去が繰り返されており、当該ラックの総重量を把握することは困難である。
【０００５】
このため、前記フロアに設置された各ラックによる床荷重が当該フロアの床耐荷重以下に抑えられているかを把握することは困難であり、床耐荷重の超過が懸念される。
【０００６】
このように、床荷重を把握できないので、経験に基づいて余裕を確保して電子機器をラックに積載せざるを得なかった。
【０００７】
これにより、床耐荷重という観点から見た計画的な電子機器の増設や撤去ができていないという問題があった。
【０００８】
本発明は、このような従来の課題に鑑みてなされたものであり、床荷重を把握することが可能な床荷重監視システムを提供することを目的とするものである。
【課題を解決するための手段】
【０００９】
前記課題を解決するために本発明の請求項１の床荷重監視システムにあっては、床面に設置された複数のラックの重量をそれぞれ計測する複数のラック重量計測装置と、各ラック重量計測装置で計測した重量計測値を通信網を介して収集して監視する制御部と、該制御部で収集した前記重量計測値の集計結果を床荷重として表示する表示部と、を備えている。
【００１０】
すなわち、床面に設置された各ラックにおいて電子機器の増設や入れ替えが行われた際には、各ラック重量計測装置によって電子機器が搭載された状態でのラックの重量を計測する。
【００１１】
すると、各ラック重量計測装置で計測した重量計測値は、通信網を介して制御部に収集監視され、該制御部で収集した前記重量計測値の集計結果が床荷重として表示部に表示される。
【００１２】
このため、利用者においては、前記表示部での表示から、前記各ラックが設置された床面への床荷重を知ることができる。
【００１３】
また、請求項２の床荷重監視システムにおいては、前記床面を複数の監視エリアに分割する一方、前記制御部は、前記各ラック重量計測装置からの前記重量計測値を前記各監視エリア毎に集計し、各監視エリアでの床荷重を前記表示部に表示する荷重分布表示手段を備えている。
【００１４】
すなわち、電算室など監視対象となる床面は、複数の監視エリアに分割されており、前記制御部は、前記各ラック重量計測装置からの前記重量計測値を前記各監視エリア毎に集計し、各監視エリアでの床荷重を前記表示部に表示する。
【００１５】
このため、利用者においては、前記表示部での表示から、前記各監視エリアでの床荷重の分布状態を知ることができる。
【００１６】
さらに、請求項３の床荷重監視システムでは、前記制御部は、前記各監視エリアに設定された床耐荷重から対応する監視エリアでの床荷重を減算した減算値を当該監視エリアの前記床耐荷重に対する残量値として前記表示部に表示する残量表示手段を備えている。
【００１７】
すなわち、前記表示部には、前記各監視エリアの床耐荷重に対する残量値が表示される。
【００１８】
このため、利用者においては、前記表示部での表示から、床耐荷重に対して床荷重に余裕がある監視エリアと、余裕の無い監視エリアとを知ることができる。
【発明の効果】
【００１９】
以上説明したように本発明の請求項１の床荷重監視システムにあっては、前記表示部での表示から、前記各ラックが設置された床面への床荷重を把握することができるので、この床荷重を監視することにより、ラックに搭載した電子機器によって床耐荷重が超過するといった事態を未然に回避することができる。
【００２０】
また、経験に基づいて余裕を確保してラックに電子機器を積載せざるを得なかった従来と比較して、床耐荷重という観点から見た計画的な電子機器の増設や撤去が可能となり、電子機器の搭載効率を高めることができる。
【００２１】
さらに、床荷重を把握することで、前記床面への床荷重と該床面に設定された床耐荷重とから、当該床面に設置されたラックに電子機器を増設できるか否かを把握できるとともに、増設する際には、搭載できる電子機器の最大重量を見積もることができる。
【００２２】
これにより、増設する電子機器を選定する際に、重量を基準とした電子機器の選定が可能となり、搭載後に床耐荷重を超えてしまうといった問題を確実に防止することができる。
【００２３】
また、請求項２の床荷重監視システムにおいては、電算機室など監視対象となる床面を、複数の監視エリアに分割し、前記各ラック重量計測装置からの前記重量計測値を前記各監視エリア毎に集計して、各監視エリアでの床荷重を前記表示部に表示することができる。
【００２４】
このため、利用者においては、前記表示部での表示から、前記各監視エリアでの床荷重の分布状態を知ることができ、各監視エリアでの床耐荷重の超過を監視することが可能となる。
【００２５】
また、各監視エリアの床荷重分布を把握することにより、各監視エリア内のラックへの機器の増設や撤去を計画的に実行することができる。
【００２６】
さらに、請求項３の床荷重監視システムでは、前記各監視エリアの床耐荷重に対する残量値を表示部で表示することができるため、利用者においては、前記表示部での表示から、床耐荷重に対して床荷重に余裕がある監視エリアと、余裕の無い監視エリアとを知ることができる。
【００２７】
これにより、無駄のない電子機器の配置が可能となるとともに、各監視エリアでの床荷重を均等に分散することもできる。
【図面の簡単な説明】
【００２８】
【図１】本発明の一実施の形態を示すブロック図である。
【図２】（ａ）は、同実施の形態のラックを示す説明図であり、（ｂ）は、重量センサ部を示す断面図である。
【図３】同実施の形態の動作を示すフローチャートである。
【図４】（ａ）は、他の実施の形態のラックを示す説明図であり、（ｂ）は、さらに他の実施の形態のマウントアングルの下部を示す説明図である。
【発明を実施するための形態】
【００２９】
以下、本発明の一実施の形態を図に従って説明する。
【００３０】
図１は、本実施の形態にかかる床荷重監視システム１を示す図であり、該床荷重監視システム１は、電算機室などの床面に加えられる床荷重を監視するシステムである。
【００３１】
すなわち、電算機室の床面は、複数の監視エリアに分割されており、具体的には第一監視エリア１１と第二監視エリア１２とに分割されている。前記第一監視エリア１１には、例えば三台のラックが設置されており、各ラックには、ラック重量計測装置１３，・・・が設けられている。前記第二監視エリア１２にも、例えば三台のラックが設置されており、各ラックにも、ラック重量計測装置１４，・・・が設けられている。
【００３２】
そして、図２の（ａ）に示すように、前記各監視エリア１１，１２に設けられた各ラック２１には、複数の電子機器２２，・・・が搭載されており、これらの電子機器２２，・・・を集中管理できるように構成されている。
【００３３】
前記各ラック重量計測装置１３，・・・、１４，・・・は、図１及び図２の（ａ）に示すように、対応するラック２１に設けられた第一〜第四重量センサ部３１〜３４と、各重量センサ部３１〜３４で計測した重量を加算して重量計測値を算出する図外の演算部と、算出した重量計測値を通信網３５を介して制御部３６へ送信する図外の通信部とによって構成されており、対応したラック２１の重量を測定し、その重量計測値を前記制御部３６に送信できるように構成されている。
【００３４】
すなわち、図２の（ａ）に示すように、前記ラック２１のラック本体４１は、縦長矩形状の箱形状に形成されており、内部には、複数の電子機器２２，・・・を搭載できるように構成されている。このラック本体４１の底面４２と、前記電算機室の床面４３との間には、前記第一〜第四重量センサ部３１〜３４が四隅に設けられており、前記ラック本体４１は、前記各重量センサ部３１〜３４を介して前記床面４３に支持されている。
【００３５】
前記各重量センサ部３１〜３４は、同一の構造を有しており、図２の（ｂ）に示すように（第一重量センサ部３１のみ図示）、前記ラック本体４１の底面４２に固定される重量センサ外殻上部５１と、前記床面４３に固定される重量センサ外殻下部５２とによって構成されている。
【００３６】
前記重量センサ外殻上部５１は、直方体形状に形成されており、その底面には、矩形凹部６１が中央部に形成されている。前記重量センサ外殻下部５２は、底部側を構成する矩形状のベース部５３と、該ベース部５３の中央に突設された矩形状の凸部５４とによって凸状に形成されており、該凸部５４の上面５５には、ロードセルで構成された重量センサ５６が設けられている。これにより、該重量センサ５６は、圧力を受けた際に圧力の大きさに応じた電圧を出力するように構成されている。
【００３７】
前記重量センサ外殻下部５２の前記凸部５４は、前記重量センサ外殻上部５１の前記矩形凹部６１に遊嵌しており、前記重量センサ外殻上部５１は、前記重量センサ外殻下部５２に対して上下動自在に支持されている。この支持状態において、前記重量センサ外殻上部５１の前記矩形凹部６１の奥面６２には、前記重量センサ外殻下部５２の前記凸部５４上に設けられた前記重量センサ５６が当接するように構成されており、この当接状態において、前記重量センサ外殻上部５１と前記重量センサ外殻下部５２とは、前記重量センサ５６を除いた部位が離間するように構成されている。
【００３８】
前記各重量センサ部３１〜３４は、前記重量センサ外殻上部５１が前記ラック本体４１からの荷重を受けた際に、その荷重を当該重量センサ外殻上部５１と前記重量センサ外殻下部５２との間に挟持された前記重量センサ５６に加えられるように構成されており、この重量センサ５６からの出力電圧を測定して当該重量センサ５６が受けた圧力を検出することによって、当該重量センサ５６に加えられた荷重を測定できるように構成されている。
【００３９】
これにより、前記各重量センサ部３１〜３４の重量センサ５６で検出した荷重を加算することで、各重量センサ部３１〜３４で支持したラック２１の全重量を計測できるように構成されている。
【００４０】
ここで、本実施の形態では、前記重量センサ部３１〜３４を前記重量センサ外殻上部５１と前記重量センサ外殻下部５２とで構成するとともに、前記重量センサ５６を前記ロードセルで構成した場合を例に挙げて説明するが、これに限定されるものではなく、当該重量センサ部３１〜３４に加わる重量を測定できれば、他の構造であっても良い。
【００４１】
前記各ラック重量計測装置１３，・・・、１４，・・・は、図１に示したように、前記通信網３５を介して、前記制御部３６に接続されており、該制御部３６は、前記各ラック重量計測装置１３，・・・、１４，・・・で計測した重量計測値を前記通信網３５を介して収集して監視できるように構成されている。この制御部３６には、液晶モニター等からなる表示部７１が接続されており、当該制御部３６からのデータを表示できるように構成されている。
【００４２】
また、前記制御部３６は、前記通信網３５を介して、遠隔地に設置された監視センターの監視装置７５と通信できるように構成されている。
【００４３】
前記制御部３６は、ＲＯＭ及びＲＡＭ内蔵のマイコンを中心に構成されており、当該制御部３６には、ハードディスクやメモリからなる記憶部８１が接続されている。該記憶部８１には、前記制御部３６で使用するデータの一例として前記第一監視エリア１１での床耐荷重と前記第二監視エリア１２での床耐荷重とが予め記憶されるととともに、該制御部３６による演算結果や前記各ラック重量計測装置１３，・・・、１４，・・・から取得した重量計測データ値等を記憶して保存できるように構成されている。
【００４４】
そして、前記制御部３６は、前記マイコンが前記ＲＯＭに記憶されたプラグラムに従って動作することで、前記各ラック２１，・・・に設けられたラック重量計測装置１３，・・・、１４，・・・からの重量計測値を前記通信網３５を介して受信するとともに、各ラック重量計測装置１３，・・・、１４，・・・から受信した重量計測値を前記各監視エリア１１，１２毎に集計して、各監視エリア１１，１２での床荷重を算出できるように構成されている。
【００４５】
図３は、当該床荷重監視システム１の動作を示すフローチャートであり、前記制御部３６のマイコンが内蔵のＲＯＭに記憶されたプログラムに従って動作を開始すると、前記各監視エリア１１，１２の各ラック２１，・・・に設けられた総てのラック重量計測装置１３，・・・、１４，・・・から前記重量計測値を前記通信網３５を介して収集する（Ｓ１）。
【００４６】
そして、前記第一監視エリア１１に設置されたラック重量計測装置１３，・・・からの前記重量計測値を合算して当該第一監視エリア１１に生じた床荷重を第一監視エリア床荷重として算出するとともに（Ｓ２）、前記第二監視エリア１２に設置されたラック重量計測装置１４，・・・からの前記重量計測値を合算して当該第二監視エリア１２に生じた床荷重を第二監視エリア床荷重として算出する（Ｓ３）。
【００４７】
次に、前記記憶部８１に予め記憶された前記第一監視エリア１１での床耐荷重を第一監視エリア床耐荷重として読み込むとともに、前記第二監視エリア１２での床耐荷重を第二監視エリア床耐荷重として読み込む（Ｓ４）。その後、前記第一監視エリア床耐荷重から前記第一監視エリア床荷重を減算した減算値を当該第一監視エリア１１の前記床耐荷重に対する第一監視エリア残量値として算出するとともに（Ｓ５）、前記第二監視エリア床耐荷重から前記第二監視エリア床荷重を減算した減算値を当該第二監視エリア１２の前記床耐荷重に対する第二監視エリア残量値として算出する（Ｓ６）。
【００４８】
そして、演算した前記第一監視エリア床荷重及び前記第一監視エリア残量値を表示する為のデータと、前記第二監視エリア床荷重及び前記第二監視エリア残量値を表示する為のデータとを前記表示部７１に出力することで、前記第一監視エリア床荷重及び前記第一監視エリア残量値と、前記第二監視エリア床荷重及び前記第二監視エリア残量値とを前記表示部７１に表示した後（Ｓ７）、前記第一監視エリア残量値と前記第二監視エリア残量値とを前記通信網３５を介して、遠隔地に設置された監視センターの監視装置７５へ送信して（Ｓ８）、前記ステップＳ１へ戻り、各監視エリア１１，１２での床荷重の監視を継続する。
【００４９】
以上の構成にかかる本実施の形態において、前記各監視エリア１１，１２に設置された各ラック２１への電子機器２２，・・・の増設や入れ替えが行われた際には、各ラック２１，・・・の重量が変化するとともに、各ラック２１，・・・が配置された監視エリア１１，１２での床荷重が変化することとなる。
【００５０】
そこで、前記電子機器２２，・・・が搭載された状態での各ラック２１の重量を、各ラック２１，・・・に設けられた各ラック重量計測装置１３，・・・、１４，・・・によって計測し、各ラック重量計測装置１３，・・・１４，・・・で計測した重量計測値を、前記通信網３５を介して、前記制御部３６に収集して監視することで、該制御部３６で収集した前記重量計測値の集計結果を各監視エリア毎の床荷重として表示部７１に表示することができる。
【００５１】
これにより、利用者においては、前記表示部７１での表示を見ることによって、前記各ラック２１，・・・が設置された各監視エリア１１，１２での床面４３への床荷重を知ることができるため、この床荷重を監視することにより、前記各ラック２１，・・・に増設した電子機器２２，・・・によって各監視エリア１１，１２毎に床耐荷重が超過するといった事態を未然に回避することができる。
【００５２】
また、経験に基づいて余裕を確保して各ラック２１，・・・に前記電子機器２２，・・・を積載せざるを得なかった従来と比較して、床耐荷重という観点から見た計画的な電子機器２２，・・・の増設や撤去が可能となり、電子機器２２，・・・の搭載効率を高めることができる。
【００５３】
さらに、床荷重を把握することで、前記各監視エリア１１，１２での前記床面４３への床荷重と、これらの床面４３に設定された床耐荷重とから、当該床面４３に設置されたラック２１，・・・に電子機器２２，・・・を増設できるか否かを把握できるとともに、増設する際には、搭載できる電子機器２２，・・・の最大重量を見積もることができる。
【００５４】
これにより、増設する電子機器２２，・・・を選定する際に、重量を基準とした電子機器２２，・・・の選定が可能となり、搭載後に床耐荷重を超えてしまうといった問題を確実に防止することができる。
【００５５】
また、監視対象となる電算機室など床面４３を、複数の監視エリア１１，１２に分割し、前記各ラック重量計測装置１３，・・・、１４，・・・からの前記重量計測値を前記各監視エリア１１，１２毎に集計して、各監視エリア１１，１２での床荷重を前記表示部７１に表示することができる。
【００５６】
このため、利用者においては、前記表示部７１での表示から、前記各監視エリア１１，１２での床荷重の分布状態を知ることができ、各監視エリア１１，１２での床耐荷重の超過を監視することが可能となる。
【００５７】
また、各監視エリア１１，１２の床荷重分布を把握することにより、各監視エリア１１，１２内のラック２１，・・・への電子機器２２，・・・の増設や撤去を計画的に実行することができる。
【００５８】
さらに、本実施の形態では、前記各監視エリア１１，１２の床耐荷重に対する残量値を表示部７１に表示することができるため、利用者においては、前記表示部７１での表示から、床耐荷重に対して床荷重に余裕がある監視エリア１１，１２と、余裕の無い監視エリア１１，１２とを知ることができる。
【００５９】
このように、前記表示部７１で表示された前記残量値を、各監視エリア１１，１２のラック２１，・・・に増設できる電子機器２２，・・・の搭載残量として把握することができるため、各監視エリア１１，１２の各ラック２１，・・・への無駄のない電子機器２２，・・・の配置が可能となるとともに、各監視エリア１１，１２での床荷重を均等に分散することもできる。
【００６０】
そして、本実施の形態では、前記第一監視エリア１１での前記残量値である前記第一監視エリア残量値と、前記第二監視エリア１２での前記残量値である前記第二監視エリア残量値とを、前記通信網３５を介して、遠隔地に設置された監視センターの監視装置７５へ送信することができる。
【００６１】
これにより、前記ラック２１，・・・が配設された前記電算機室を集中管理する監視センターの監視装置７５において、この通知を受信することで、管理人においては、前記各監視エリア１１での前記残量値を知ることができる。
【００６２】
これにより、前記各監視エリア１１，１２に加えられる床荷重が、その床耐荷重を超えないように監視することができるとともに、前記床耐荷重を超えた場合には、作業員を派遣して当該監視エリア１１，１２に設置されたラック２１から電子機器２２を取り外したり移設する等の対処を可能とすることができる。
【００６３】
なお、本実施の形態では、前記ラック本体４１の底面４２と床面４３との間に第一〜第四重量センサ部３１〜３４を設けて当該ラック本体４１全体の重量を測定した場合を例に挙げて説明したが、この構造に限定されるものではない。
【００６４】
すなわち、図４の（ａ）に示すように、ラック本体４１内には、電子機器２２，・・・を搭載する為のマウントアングル１０１，・・・が四隅に設けられており、各マウントアングル１０１，・・・とラック本体４１との間に前記各重量センサ部３１〜３４を設け、各マウントアングル１０１，・・・に加わる荷重を前記各重量センサ部３１〜３４で計測できるように構成しても良い。
【００６５】
このようなラック２１内部に前記各重量センサ部３１〜３４を組み込んだ構造では、当該ラック２１を従来通り床面４３に固定することができ、前記各重量センサ部３１〜３４をラック本体４１内に隠蔽することで、外観品質を高めることができる。
【００６６】
また、図４の（ｂ）に示すように、ラック２１の底面４２にブラケット１１１を立設し、該ブラケット１１１に一対の梃子１１２，１１２を支点１１３，１１３で回動自在に支持するとともに、両梃子１１２，１１２の一端で前記各マウントアングル１０１の下端部を支持する。そして、両梃子１１２，１１２の他端を連結ブラケット１１４で連結し、前記マウントアングル１０１，・・・の荷重が前記連結ブラケット１１４を上昇する方向に作用するように構成する。
【００６７】
そして、この連結ブラケット１１４の上部に前記各重量センサ部３１〜３４を設けることで（重量センサ部３１のみ図示）、各マウントアングル１０１，・・・に加わる荷重を前記各重量センサ部３１〜３４で計測できるように構成しても良い。
【００６８】
このように前記各重量センサ部３１〜３４を梃子１１２，１１２に組み込んだ構造では、前記電子機器２２，・・・の重量を直接重量センサ部３１〜３４にかけず、前記支点１１３，１１３から前記一端及び他端までの長さを調整することで、前記重量センサ５６への負荷を減少させる効果を実現することができ、小容量の重量センサ５６を用いることが可能となる。
【００６９】
そして、前記梃子１１２，１１２と重量センサ部３１〜３４の間にストッパー１２１を設け、前記梃子１１２，１１２の前記他端の上方への移動を規制可能に構成することで、常時重量計測を行なわず、必要な場合のみ重量を計測できるように切り替えることを可能とし、前記重量センサ５６の耐久性を向上させると共に重量センサ５６の交換も容易となる。
【符号の説明】
【００７０】
１    床荷重監視システム
１１    第一監視エリア
１２    第二監視エリア
１３    ラック重量計測装置
１４    ラック重量計測装置
２１    ラック
３５    通信網
３６    制御部
４３    床面
７１    表示部
【図１】
2010176251.tif 000003
【図２】
2010176251.tif 000004
【図３】
2010176251.tif 000005
【図４】
2010176251.tif 000006